(57)【特許請求の範囲】
【請求項１】
ディスク装置に組込まれたガイドレールに沿ってスライドするトレー構造において、径の異なる２種類のディスクの内の任意の１枚を装着できるようにしたトレーは、奥行側トレー本体に先端側トレー片が傾斜するように継手を介して折り曲げ可能に連結し、そして先端側トレー片の両側にはトレーを引き出した状態から収納位置まで後退する際に先端側トレー片より先にガイドレールに係合するための誘導片を該先端側トレー片の上記継手よりも奥行側トレー本体方向へ長く延ばして形成し、上記先端側トレー片の継手を小径ディスクの一部外周が跨る位置に設けたことを特徴とするディスク装置のトレー構造。
【請求項２】
奥行側トレー本体側に位置してトレーの後退に伴ってガイドレールに最初に係合する上記誘導片の先端上面を凸状に湾曲させた請求項１記載のディスク装置のトレー構造。
【請求項３】
上記先端側トレー片の中央部に穴を貫通した請求項１、又は請求項２記載のディスク装置のトレー構造。
【発明の詳細な説明】
【０００１】
【発明の属する技術分野】
本発明はディスクの取付け・取外しを容易に出来るようにしたディスク装置のトレーに関するものである。
【０００２】
【従来の技術】
ＣＤやＤＶＤ等のディスクをディスク装置に装着したり、ディスク装置から取外す為にトレーが備わっている。該トレーはディスク装置に設けているガイドレールに沿ってスライドすることが出来るように、モータで回転する駆動ギアがトレーのラックと噛み合っている。ディスクを取付けたり、取外す場合には、該トレーが引出されたオープン状態となり、取付けられたディスクはトレーが閉じることでディスク装置の内部に収容される。そして、ディスクを再生する時にはトラバースホルダーが上昇してトレーに載っているディスクを押上げてモータによって高速回転する。
【０００３】
図３は従来のディスク装置を示していて、(ａ)はトレー１が引出された場合、(ｂ)はトレー１が後退して閉じた場合である。ところで、トレー１がオープン状態になって該トレー１に載っているディスクを掴んで取外す場合、該ディスクを掴む箇所がなくて取外し難いことは、我々もよく経験している。そこで、該ディスクの取付け・取外しを容易にする為に、従来技術として特開平７−２５４１９９号に係る「ディスク装置」が知られている。
【０００４】
このディスク装置は「筐体内のディスク装着位置又は筐体外に引出されたディスク交換位置に移動するトレーを、ディスクの一部がトレーからはみ出すように形成している。」
すなわち、ディスクがオープン状態になった時、ディスクの一部がトレーからはみ出すようになる。トレーからはみ出したディスクの周縁部を持ってトレーから取外すことが比較的容易に出来る。しかも、トレー側方の何処からでもディスクを持つことが出来る。
【０００５】
この為に、トレーは小型化出来、ひいてはディスク装置全体をコンパクト化することが可能である。しかし、トレー全体をディスク装置から引出す構造である為に、ディスク装置の奥行き寸法を小さくすることは出来ない。
【０００６】
一方、特開平１０−１４３９６５号に係る「ディスク装置」も従来技術の他の１つである。このディスク装置は「手動操作により筐体内のディスク装着位置又は筐体外に引出されたディスク交換位置に移動するトレーと、該トレーをディスク装着位置に係止する係止機構と、該係止機構によりディスク装着位置に係止されたトレーを覆うカバーと、係止機構による係止を解除させる係止解除部材と、を有すディスク装置において、トレーがディスク交換位置に移動するのに連動してカバーの一部が開くように動作させ、トレーがディスク装着位置に移動するのに連動してカバーの一部を閉じるように動作させるカバー開閉機構を設けている。」
【０００７】
すなわち、トレー全体を装置から引出さずにディスクの装着及び取出しを行うことが出来る。しかし、カバーの一部を開閉させる構造である為に、装置の上部には余分な空間が必要となり、別の装置を上に置けない等の問題がある。
【０００８】
一方、実開平４−１２１４８号に係る「ディスクトレイ」はディスクトレイの先端部をヒンジにより接合し、ディスクトレイが引き出されたとき先端部が折れ曲るように構成している。
従って、ディスクトレイが引出された時には先端部が折れ曲って下ヘ垂れ下がった状態になる為に、ディスクの外周部はディスクトレイからはみ出すことになり、ディスクを取出す場合、又ディスクを装着する場合にはディスクの外周部を指で摘むことが出来る。
【０００９】
しかし、該ディスクトレイの先端部は折れ曲って下方へ垂れ下がる為に、ディスクトレイが後退して閉じる際には垂れ下がっている先端部を持上げなくてはならず、非常に面倒となる。
【００１０】
【発明が解決しようとする課題】
このように従来のディスク装置には上記のごとき問題がある。本発明が解決しようとする課題はこの問題点であり。ディスクの取出しが容易に行なうことが出来、又ディスク装置がコンパクト化出来るトレー構造を提供する。
【００１１】
【課題を解決する為の手段】
本発明に係るディスク装置のトレー構造はトレーが先端部から中間部にかけて折れ曲るようになっている。すなわち、トレーが引出されてオープン状態に成る場合、先端側のトレー片が折れ曲って傾斜するようになり、トレーにセットされているディスクとの間に空間が出来る。トレーは奥行き側トレー本体と先端側トレー片から成り、先端側トレー片だけが垂れ下がって傾斜する。
【００１２】
先端側トレー片は奥行き側トレー本体と継手を介して連結し、トレーが引出されることで先端側トレー片は自重によって垂れ下がる。ただし、垂直下方に垂れ下がるのではなく適当な傾斜角をもって垂れ下がる。そしてトレーが後退して閉じる場合には、傾斜した先端側トレー片が自動的に持上げられて奥行き側トレー本体と同一面になるように、誘導片を両側に設けている。
【００１３】
誘導片はトレーが摺動する為のガイドレールに係合することで先端側トレー片が持上げられ、ガイドレールから外れることで先端側トレー片が垂れ下がる。又先端側トレー片の中央には穴が形成され、小さなディスクを取外す際の便宜を講じている。以下、本発明に係る実施例を図面に基づいて詳細に説明する。
【００１４】
【実施例】
図１は本発明に係るディスク装置のトレー構造を示す実施例である。同図の１はトレー、２はガイドレールを示し、トレー１は両ガイドレール２，２に沿ってスライドすることが出来る。トレーの具体的なスライド手段は問わないが、一般的には該トレー１の底にラックを沿設し、該ラックに噛み合って回転するギアによってスライドすることが出来る。
【００１５】
上記ガイドレール２，２は内側を開口したコ型断面を成し、該トレー１の両側はコ型断面のガイドレール２，２に嵌ってスライドすることが出来る。そして本発明のトレー１は奥行き側トレー本体３と先端側トレー片４から成り、先端側トレー片４は両側に設けている継手５，５によって連結している。従って先端側トレー片４は折れ曲り、同図に示すように下方へ垂れ下がって傾斜することが出来る。
【００１６】
そして、この垂れ下がり傾斜は先端側トレー片４の自重の作用で行われ、トレー１が引出されてオープン状態になることで自動的に垂れ下がり傾斜する。ただし、トレー全体が引出される必要はなく、先端側トレー片４がガイドレール２，２から引出されることで継手５，５にて折れ曲って垂れ下がる。一般的にはトレー１の約２／３程度が引出される。
【００１７】
トレー１の上面にはディスクが嵌る円形凹部６が形成され、円形凹部６は奥行きトレー本体３と先端側トレー片４とに跨っている。又、該円形凹部６と同心を成して小さな円形凹部７が形成され、円形凹部７には小径のディスクがセットされる。そして先端側トレー片４の中央には穴８が貫通している。ところで、円形凹部６にディスクをセットするならば、先端側トレー片４が垂れ下がって傾斜している為にディスクとの間には空間が形成される。
【００１８】
従って、ディスクの取付け・取外しに際しては、先端側トレー片４が邪魔にならない。円形凹部７にセットした小径ディスクはその一部が先端側トレー片４に跨り、外周部は穴８に位置している。従って、小径ディスクの取付け・取外しに際しても先端側トレー片４が邪魔にならない。
【００１９】
図２は本発明のトレー１の出し入れ動作を示している。
(ａ)は該トレー１がガイドレール２に沿ってスライドして引出された場合であり、オープン状態になるトレー１の先端側トレー片４は自重によって垂れ下がり傾斜する。円形凹部６にセットされたディスク９は、奥行側トレー本体３に載置されたままで、先端側トレー片４との間に空間１０が形成される。そこで、該ディスク９をトレー１から取外す場合、ディスク９の中心穴と外周とを指で挟んで持ち上げることが出来る。逆にトレー１にセットする場合には、中心穴と外周を指で挟んで持上げたディスク９を奥行側トレー本体３に載置する。
【００２０】
(ｂ)は奥行側トレー本体３にディスク９を載置し、トレー１が閉じる場合を示している。ディスク９は奥行側トレー本体３に形成した円形凹部６にセットされて水平状態にあり、そして垂れ下がり傾斜している先端側トレー片４は、該トレー１の後退に伴って持上げられて水平になる。先端側トレー片４の両側には図１に示すような湾曲誘導片１１，１１が形成され、この湾曲誘導片１１，１１がガイドレール２に進入することで先端側トレー片４は持上げられて水平になり、該先端側トレー片４はガイドレール２に嵌ってスライド後退する。ここで、上記湾曲誘導片１１の先端はガイドレール２に進入出来るようになっている。
【００２１】
(ｃ)は先端側トレー片４がガイドレール２に沿って後退し、閉じる手前の状態を示している。以上述べたように、本発明のトレーは奥行側トレー本体に先端側トレー片を継手を介して取付けたものであり、次のような効果を得ることが出来る。
【００２２】
【発明の効果】
本発明のディスク装置のトレーは奥行側トレー本体の先端に継手を介して先端側トレー片を取付けている。従って、トレーが引出されるならば、先端側トレー片はその自重によって垂れ下がり傾斜し、ディスク外周との間に空間が形成されることで、該ディスクを容易に取外し出来る。逆に、ディスクをトレーにセットする場合も、先端側トレー片が傾斜して垂れ下がっていることで邪魔にならない。
【００２３】
そして、先端側トレー片の外側には誘導片が形成され、トレーを閉じる為に後退するならば、誘導片はガイドレールに進入することで傾斜している先端側トレー片を持ち上げ、水平状態にしてガイドレールへ誘導することが出来る。本発明のトレーは引出される先端側の一部が傾斜する先端側トレー片と成っている為に、トレー全体をディスク装置のシャーシから引出す必要はなく、すなわち約１／２〜２／３程度の引出しでディスクの取付け・取外しが出来る為に、トレーの奥行寸法を小さくすることが出来、ひいてはディスク装置がコンパクト化される。
【図面の簡単な説明】
【図１】本発明のトレー構造。
【図２】トレーの出し入れ動作。
【図３】従来のディスク装置。
【符号の説明】
１  トレー
２  ガイドレール
３  奥行側トレー本体
４  先端側トレー片
５  継手
６  円形凹部
７  円形凹部
８  穴
９  ディスク
10  空間
11  湾曲誘導片
【図１】
0003878876.tif 000002
【図２】
0003878876.tif 000003
【図３】
0003878876.tif 000004